(57)【要約】      （修正有）【課題】繊維製品などの対象物の褪色を防止または効果的に抑制する作用効果を有し、分散性および保存安定性に優れ、簡便に使用することができる褪色防止性組成物およびその製造方法を提供する。【解決手段】褪色防止性組成物は、紫外線吸収剤及び溶媒を含む白色不透明又は白濁したエマルジョンと、香料と、界面活性剤を含有する。【効果】褪色防止性組成物は、紫外線吸収剤及び溶媒が白色不透明又は白濁したエマルジョンの形態にあるので、優れた分散性および保存安定性を有し、対象物としての繊維製品などに対して塗布や噴霧等した場合には、紫外線吸収剤からの臭気が良好にマスキングされ、その使用感が損なわれることもなく、極めて優れた褪色防止効果が発揮される。【選択図】なし【特許請求の範囲】
【請求項１】
紫外線吸収剤及び溶媒を含む白色不透明又は白濁したエマルジョンと、
香料と、
界面活性剤と
を含有すること
を特徴とする褪色防止性組成物。
【請求項２】
前記界面活性剤は、
ノニオン系界面活性剤及びアニオン系界面活性剤から選択されること
を特徴とする請求項１に記載の褪色防止性組成物。
【請求項３】
前記紫外線吸収剤は、
常温で液状の紫外線吸収剤又は紫外線吸収剤に対して油性成分を加えて得られる混合物から選択されること
を特徴とする請求項１又は２に記載の褪色防止性組成物。
【請求項４】
前記溶媒は、
水、或いは水及びこれと相溶可能な溶媒との混合溶媒であること
を特徴とする請求項１〜３のいずれかに記載の褪色防止性組成物。
【請求項５】
繊維製品及びこれを構成する繊維用であること
を特徴とする請求項１〜４のいずれかに記載の褪色防止性組成物。
【請求項６】
前記褪色防止性組成物は、
カチオン性の成分を含有しないこと
を特徴とする請求項１〜５のいずれかに記載の褪色防止性組成物。
【請求項７】
請求項１〜６のいずれかに記載の褪色防止性組成物をスプレー容器に充填したこと
を特徴とするスプレー式褪色防止剤。
【請求項８】
イ．溶媒に紫外線吸収剤を溶解又は分散させ、それらを混合・乳化することによって、全体的に白色不透明を呈しているか、又は白濁しているエマルジョンを形成する工程
および
ロ．前記工程イ．で得られたエマルジョンに対して、香料と界面活性剤を添加し、それらを混合する工程
を含むこと
を特徴とする褪色防止性組成物の製造方法。
【発明の詳細な説明】
【技術分野】
【０００１】
この発明は、褪色防止性組成物に関するものである。
より詳しくは、保存安定性に優れ、紫外線による褪色（退色）を防止または効果的に抑制することができる、各種繊維および繊維製品用として好適な褪色防止性組成物およびその製造方法に関するものである。
【背景技術】
【０００２】
従来、衣類などの繊維製品においては、光（特に紫外線）の照射による褪色の問題があった。
【０００３】
紫外線を遮蔽する目的で、二酸化チタンなどの無機系紫外線吸収・反射剤を合成繊維に含ませることが提案されている（例えば、特許文献１、特許文献２参照）。
【０００４】
しかしながら、前記特許文献１および２に開示されている繊維構造体または繊維は、紫外線から肌を守るためのもので、前記繊維からなる生地自体を透過する紫外線の遮蔽率が向上したものではあるが、生地自体の紫外線からの保護という点では不十分で、繊維の褪色を防止する観点からも不十分なものであった。
【０００５】
繊維または繊維製品の褪色を防止する具体的な方法として、繊維や繊維製品を紫外線吸収剤で処理する方法が知られている。
【０００６】
例えば、特開２００７−１７７３４８号公報（特許文献３）においては、洗濯後に天日干し乾燥しても色柄物衣料等の退色を効果的に防止することができる繊維処理剤組成物が提案されている。
【０００７】
この繊維処理剤組成物は、（Ａ）ゼオライト、（Ｂ）キレート剤、及び（Ｃ）紫外線吸収剤及び／又は有機酸化防止剤を含有し、（Ａ）／（Ｂ）＝３／２〜１／９（質量比）であるものである。
【先行技術文献】
【特許文献】
【０００８】
【特許文献１】特開平０５−１４８７３４号公報
【特許文献２】特開平０６−    ２２１９号公報
【特許文献３】特開２００７−１７７３４８号公報
【発明の概要】
【発明が解決しようとする課題】
【０００９】
しかしながら、繊維を、単に紫外線吸収剤で処理する場合、繊維全面を処理することになり不経済となる傾向にあるという問題や、紫外線吸収剤が光などにより経時劣化するため、長期に亘って褪色防止効果が得られないおそれがあるという問題があった。
【００１０】
前記特許文献３に開示されている繊維処理剤組成物では、これに含まれるゼオライトの配合量が、特に実施例においては８％以上と高いため、特に衣類などの繊維製品に対して処理した場合には、その表面に繊維処理剤組成物が残留して外観不良を引き起こすおそれがあるという問題があった。
さらに、前記特許文献３に開示されている繊維処理剤組成物は、噴霧器との相性から判断すると、噴霧による処理は実質的に困難であるため、その取り扱い性において、さらなる改善が求められる。
【００１１】
さらに、紫外線吸収剤は、一般的には水系に難溶であり、これを有効量で水系製剤に含有させるためには、紫外線吸収剤の良溶媒となる有機溶剤を配合する必要があることから、この有機溶剤による臭気（溶剤臭）によって使用感が損なわれるという問題があった。
【００１２】
さらにまた、溶剤臭のマスキングのための香料や、長期安定性を付与するための防腐剤など、各種添加剤を使用する場合、選択される添加剤によっては、紫外線吸収剤の沈殿が生じ、紫外線吸収剤の分散性および保存安定性に劣るという問題もあった。
【００１３】
この発明はかかる現状に鑑み、繊維製品などの対象物の褪色を防止または効果的に抑制する作用効果を有し、分散性および保存安定性に優れ、簡便に使用することができる褪色防止性組成物およびその製造方法を提供せんとするものである。
【課題を解決するための手段】
【００１４】
すなわち、この発明の請求項１に記載の発明は、
紫外線吸収剤及び溶媒を含む白色不透明又は白濁したエマルジョンと、
香料と、
界面活性剤と
を含有すること
を特徴とする褪色防止性組成物である。
【００１５】
この発明の請求項２に記載の発明は、
請求項１に記載の褪色防止性組成物において、
前記界面活性剤は、
ノニオン系界面活性剤及びアニオン系界面活性剤から選択されること
を特徴とするものである。
【００１６】
この発明の請求項３に記載の発明は、
請求項１又は２に記載の褪色防止性組成物において、
前記紫外線吸収剤は、
常温で液状の紫外線吸収剤又は紫外線吸収剤に対して油性成分を加えて得られる混合物から選択されること
を特徴とするものである。
【００１７】
この発明の請求項４に記載の発明は、
請求項１〜３のいずれかに記載の褪色防止性組成物において、
前記溶媒は、
水、或いは水及びこれと相溶可能な溶媒との混合溶媒であること
を特徴とするものである。
【００１８】
この発明の請求項５に記載の発明は、
請求項１〜４のいずれかに記載の褪色防止性組成物において、
前記褪色防止性組成物は、
繊維製品及びこれを構成する繊維用であること
を特徴とするものである。
【００１９】
この発明の請求項６に記載の発明は、
請求項１〜５のいずれかに記載の褪色防止性組成物において、
前記褪色防止性組成物は、
カチオン性の成分を含有しないこと
を特徴とするものである。
【００２０】
この発明の請求項７に記載の発明は、
請求項１〜６のいずれかに記載の褪色防止性組成物をスプレー容器に充填したこと
を特徴とするスプレー式褪色防止剤である。
【００２１】
この発明の請求項８に記載の発明は、
イ．溶媒に紫外線吸収剤を溶解又は分散させ、それらを混合・乳化することによって、全体的に白色不透明を呈しているか、又は白濁しているエマルジョンを形成する工程
および
ロ．前記工程イ．で得られたエマルジョンに対して、香料と界面活性剤を添加し、それらを混合する工程
を含むこと
を特徴とする褪色防止性組成物の製造方法である。
【発明の効果】
【００２２】
この発明の褪色防止性組成物は、紫外線吸収剤及び溶媒を含むエマルジョンと、香料と、界面活性剤を含有するものである。
この褪色防止性組成物は、前記紫外線吸収剤および溶媒がエマルジョンの形態にあり、かつ、このエマルジョンは、全体的に白色不透明を呈しているか、または白濁している、すなわち、その液滴径が１μｍよりも大きく１００μｍ以下のものである。
したがって、優れた分散性および保存安定性を有し、かつ対象物としての繊維製品やこれを構成する繊維などに対して塗布や噴霧等した場合であっても、繊維間隙への浸透・沈着が抑制され、繊維表面に前記紫外線吸収剤の皮膜を形成する作用効果を有する。
【００２３】
さらに、前記褪色防止性組成物においては、前記紫外線吸収剤、特に前記常温で液状の紫外線吸収剤または前記油性成分からの臭気が良好にマスキングされるので、処理対象に適用する場合であっても、処理後において、処理対象の使用感が損なわれることがない。
したがって、繊維製品などの処理対象（対象物）において、極めて優れた褪色防止効果が発揮される。
【００２４】
前記褪色防止性組成物は、好ましくは繊維製品およびこれを構成する繊維に対して適用される。
この場合には、繊維表面にのみ前記紫外線吸収剤を含むエマルジョンの皮膜が形成されやすく、効率的に繊維または繊維製品に褪色防止効果を付与することができる。
【００２５】
なお、前記褪色防止性組成物は、液状の組成物であり、これをスプレー容器に充填して、スプレー式の褪色防止剤として使用することができるものである。
【００２６】
この発明の褪色防止性組成物の製造方法は、溶媒に紫外線吸収剤を溶解又は分散させ、それらを混合・乳化することによって、全体的に白色不透明を呈しているか、又は白濁しているエマルジョンを形成する工程（イ）ならびに前記工程（イ）で得られたエマルジョンに対して、香料と界面活性剤を添加し、それらを混合する工程（ロ）を含むもので、この製造方法によれば、分散安定性および褪色防止性に優れた褪色防止性組成物を簡単な操作で得ることができる。
【発明を実施するための形態】
【００２７】
以下、この発明にかかる褪色防止性組成物を実施するための形態を、詳細に説明するが、この発明は、これらに限定されるものではない。
【００２８】
この発明の褪色防止性組成物は、液状で、好ましくは繊維製品およびこれを構成する繊維用のものであって、紫外線吸収剤と溶媒をエマルジョンの形態で含み、さらに、香料と界面活性剤を含むものである。
【００２９】
前記紫外線吸収剤は、紫外線吸収作用を有するものであれば、特に限定されることなく使用することができる。
【００３０】
なお、前記紫外線吸収剤のうち、紫外線散乱剤に包含されるものは選択しないことが好ましい。
前記紫外線散乱剤は、褪色防止効果を付与する点において不十分であり、繊維製品などの処理対象に処理した後、その表面に前記紫外線散乱剤の粒子が露出し、不良が発生する等の傾向にある。
【００３１】
前記紫外線吸収剤としては、
例えば、２，４−ジヒドロキシベンゾフェノン、２−ヒドロキシ−４−メトキシベンゾフェノン、２−ヒドロキシ−４−オクチルオキシベンゾフェノン、２−ヒドロキシ−４−ドデシルオキシベンゾフェノン、２，２’−ジヒドロキシ−４−メトキシベンゾフェノン、２−ヒドロキシ−４−メトキシベンゾフェノン−５−スルホン酸、２，２−ジヒドロキシ−４，４’−ジメトキシベンゾフェノン−５，５’−ジスルホン酸等のベンゾフェノン系紫外線吸収剤；２−（２’−ヒドロキシフェニル）ベンゾトリアゾール、２−（２’−ヒドロキシ−５’−メチルフェニル）ベンゾトリアゾール、２−（２’−ヒドロキシ−５’−t−ブチルフェニル）ベンゾトリアゾール、２，２−メチレンビス［４−（１，１，３，３，−テトラメチルブチル）−６−（２Ｈ−ベンゾトリアゾール−２−イル）フェノール、２−フェニルベンズイミダゾール−５−スルホン酸、メチル３−（３−（２Ｈ−ベンゾトリアゾール−２−イル）−５−ｔ−ブチル−４−ヒドロキシフェニル）プロピオネートとポリエチレングリコ−ルとの反応生成物等のベンゾトリアゾール系紫外線吸収剤；フェニルサリシレート、ｐ−t−ブチルフェニルサリシレ−ト、ｐ−オクチルフェニルサリシレート等のサリチル酸系紫外線吸収剤；２−エチルヘキシル−２−シアノ−３，３’−ジフェニルアクリレート、エチル−２−シアノ−３，３’−ジフェニルアクリレート等のシアノアクリレート系紫外線吸収剤；トリアジン系紫外線吸収剤、蓚酸アニリド系紫外線吸収剤、アミノ安息香酸系紫外線吸収剤、ケイ皮酸系紫外線吸収剤など
が挙げられる。
【００３２】
これらの中では、ベンゾトリアゾール系紫外線吸収剤を選択することが好ましく、常温で液状の紫外線吸収剤以外の紫外線吸収剤を適当な油性成分に溶解または分散させたものを選択することもできる。
【００３３】
前記油性成分は、液状の油性成分であれば、特に限定されることなく使用することができる。
【００３４】
前記油性成分としては、
例えば、流動パラフィン、ミネラルオイル、スクワレン等の炭化水素油；マカデミアナッツ油、トウモロコシ油、オリーブ油、ホホバ油、ナタネ油、ヒマシ油、ドコサヘキサエン酸（ＤＨＡ）、エイコサペンタエン酸（ＥＰＡ）、スクワレン等の天然動植物油；ジャスミン油等の香油；イソパルミチン酸イソオクチル、イソノナン酸イソノニル、ジメチルオクタン酸ヘキシルデシル等の液状エステル油；ジメチルポリシロキサン、メチルフェニルポリシロキサン等のシリコーン油など
が挙げられる。
【００３５】
これらの紫外線吸収剤は、単独で配合してもよいし、２種以上を組み合わせて配合してもよい。
【００３６】
なお、前記紫外線吸収剤の含有量は、組成物全体に対して好ましくは０．０１〜１０質量％、より好ましくは０．１〜５質量％である。
含有量が０．０１質量％未満の場合には、褪色防止効果を十分に発揮することができない傾向にある。
含有量が１０質量％を超える場合には、処理後において、使用感の悪化や、外観の不良の発生の要因となる傾向にある。
【００３７】
前記溶媒としては、水が最も好ましいが、水と相溶可能な溶媒が混合されていてもよい。
前記水と相溶可能な溶媒としては、
エタノール、１−プロパノール、２−プロパノール、エチレングリコール、プロピレングリコールなど
が挙げられるが、アルコール類以外の有機溶剤を選択しないことが、より好ましい。
【００３８】
水に対して前記水と相溶可能な溶媒を配合する場合において、前記水と相溶可能な溶媒の含有量は、溶剤臭の発生を防止する観点から、好ましくは１０質量％未満であるが、より好ましくは水が前記水と相溶可能な溶媒を実質的に含まない（前記水と相溶可能な溶媒の含有量が１質量％未満となる）ようにする。
【００３９】
前記褪色防止性組成物において、前記溶媒の含有量は、用途や選択される紫外線吸収剤により異なるが、組成物全体に対して、好ましくは５５質量％以上、より好ましくは６０質量％以上である。
前記溶媒を５５質量％以上含有させることにより、組成物の粘度が高くなりすぎるのを抑え、取り扱い易い粘度に保つことができ、処理後の使用感を良好にすることができる。
なお、前記溶媒の含有量は、９７．０質量％以下であることが好ましい。
前記褪色防止性組成物は、前記溶媒を前記範囲で含有する場合には、適度な粘性を有し、付着性や処理後の使用感において優れたものとなる。
【００４０】
この発明の褪色防止性組成物において、前記エマルジョンの形成は、前記紫外線吸収剤を含む油相と、前記溶媒を含む水相と、必要に応じて乳化剤とを混合し、通常用いられる公知の方法（乳化方法）を使用して行うことができるが、水中油（ｏ／ｗ）型エマルジョン又は油中水（ｗ／ｏ）型エマルジョンのどちらでもよい。
使用感の観点から、好ましくは水中油型エマルジョンとする。
【００４１】
ここで、エマルジョンは、水相と油相のような互いに溶解しない液相の一方が、他の一方に微細な液滴として分散したもので、その液滴の径によって異なる外観を示す。
一般的には、エマルジョンの外観（液相）は、液滴径０．０５μｍ未満の場合には透明であり、液滴径１〜０．０５μｍの場合には青白色の半透明であり、液滴径が１μｍよりも大きく１００μｍ以下の場合には白色の不透明または白濁状である。
【００４２】
前記褪色防止性組成物において、前記紫外線吸収剤と前記溶媒は、エマルジョンの形態で存在しているが、このエマルジョンは、その外観が白色不透明または白濁状の溶液となる、すなわち、その液滴径が１μｍよりも大きく１００μｍ以下となるよう調製されている。
このような構成によって、前記褪色防止性組成物は、対象物（繊維製品やこれを構成する繊維など）に塗布や噴霧等したときに、前記紫外線吸収剤と前記溶媒を含むエマルジョンが、繊維のμｍオーダーの間隙に沈着または浸透することが抑制され、繊維表面に前記紫外線吸収剤を含むエマルジョンの皮膜が形成されるので、効率的に繊維または繊維製品に褪色防止効果を付与することができる。
したがって、前記エマルジョンは、対象物に対して、優れた褪色防止効果を付与することができるものである。
【００４３】
なお、前記エマルジョンの液滴径は、レーザー散乱法（Ｍｉｅの理論）を用いて測定することが可能であり、本書において、液滴径は、前記レーザー散乱法により測定した値である。
【００４４】
この発明において、前記褪色防止性組成物には、さらに、マスキングなどを目的として、この発明の目的および効果（褪色防止性や、保存安定性、外観、処理後の使用感等）を阻害しない範囲で、香料が配合される。
【００４５】
前記香料としては、前記常温で液状の紫外線吸収剤または前記油性成分からの臭気を良好にマスキングすることができるものであれば、特に限定されることなく、動物系、植物系、鉱物系の天然香料および合成香料のいずれのものも選択可能である。
【００４６】
前記香料としては、
例えば、ローズ抽出エキス、カモミール抽出エキス、グリーンティー香料、ラベンダー油、ゼラニウム油、ジャスミン油、ベルガモット油、ムスク油、イランイラン油、リモネン、リナロール、β−フェニルエチルアルコール、２，６−ノナジエナール、シトラール、シクロペンタデカノン、オイゲノール、ローズオキサイド、インドール、フェニルアセトアルデヒドジメチルアセタール、オーランチオールなど
が挙げられる。
【００４７】
この発明において、前記香料を使用する場合、前記香料は、褪色防止性組成物中に界面活性剤と共に配合されていればよいが、分散安定性の観点から、好ましくは界面活性剤に配合した後、前記エマルジョンと混合することが好ましい。
【００４８】
なお、前記香料の含有量は、この発明の目的および効果を阻害せず、かつ前記常温で液状の紫外線吸収剤または前記油性成分からの香りを良好にマスキングする等の作用効果が発揮される範囲であれば特に限定されず、使用する成分の種類に応じて適宜調整すればよい。
前記香料の含有量は、組成物全体に対して、例えば、０．０１〜５質量％であり、香りの強さの観点から、より好ましくは０．０１〜３質量％である。
【００４９】
前記界面活性剤としては、カチオン系界面活性剤以外の界面活性剤であれば、何れも使用することができる。
好ましくはノニオン系界面活性剤およびアニオン系界面活性剤から選択される。
これらの界面活性剤は、単独で配合してもよいし、２種以上を組み合わせて配合してもよい。
カチオン系界面活性剤を使用する場合、良好な分散安定性が得られず、前記褪色防止性組成物に含まれる紫外線吸収剤の沈殿が生じて、外観不良の要因となる傾向にある。
【００５０】
前記ノニオン系界面活性剤としては、
例えば、ポリオキシエチレンアルキルエーテル類；ポリオキシエチレンアルキルフェニルエーテル；ヒマシ油及び硬化ヒマシ油誘導体；ポリオキシエチレンフィトステロール；ポリオキシエチレンコレステロール；ポリオキシエチレンコレスタノール；ポリオキシエチレンラノリン；ポリオキシエチレン還元ラノリン；ポリオキシエチレン・ポリオキシプロピレンアルキルエーテル；ポリオキシエチレン・ポリオキシプロピレングリコール；（ポリ）グリセリンポリオキシプロピレングリコール；グリセリン脂肪酸部分エステル類；エチレングリコールモノ脂肪酸エステル；プロピレングリコールモノ脂肪酸エステル；ペンタエリスリトール部分脂肪酸エステル；ソルビトール部分脂肪酸エステル；マルチトール部分脂肪酸エステル；マルチトールエーテル；ソルビタン脂肪酸エステル；糖誘導体部分エステル；アルキルグルコシド；アルキルポリグリコシド；ラノリンアルコール；還元ラノリン；ポリオキシエチレン脂肪酸モノ及びジエステル；ポリオキシエチレン・プロピレングリコール脂肪酸エステル；ポリオキシエチレングリセリン脂肪酸エステル；ポリオキシエチレンソルビタン脂肪酸エステル；ポリオキシエチレンソルビトール脂肪酸エステル；ポリオキシエチレンメチルグルコシド脂肪酸エステル；ポリオキシエチレンアルキルエーテル脂肪酸エステル；ポリオキシエチレン動植物油脂類；アルキルグリセリルエーテル類；多価アルコールアルキルエーテル；ポリオキシエチレンアルキルアミン；テトラポリオキシエチレン・テトラポリオキシプロピレン−エチレンジアミン縮合物類；ポリオキシエチレン脂肪酸アミド；脂肪酸アルカノールアミド類；アルキルジメチルアミンオキシド；アルキルエトキシジメチルアミンオキシド；ポリオキシエチレンアルキルメルカプタン；シリコーン系ノニオン性界面活性剤
が挙げられる。
これらのノニオン系界面活性剤のうち、ポリオキシエチレン硬化ヒマシ油、ポリオキシエチレンヒマシ油、ポリオキシエチレン硬化ヒマシ油モノイソステアレート、ポリオキシエチレン硬化ヒマシ油トリイソステアレート、ポリオキシエチレン硬化ヒマシ油モノピログルタミン酸モノイソステアリン酸ジエステル、ポリオキシエチレン硬化ヒマシ油マレイン酸等のヒマシ油及び硬化ヒマシ油誘導体を選択することが好ましい。
【００５１】
前記アニオン系界面活性剤としては、
例えば、脂肪酸塩；アルキル硫酸エステル塩；ポリオキシエチレンアルキル硫酸塩；アシルＮ−メチルアミノ酸塩；アシルアミノ酸塩；ポリオキシエチレンアルキルエーテル酢酸塩；コハク酸エステル塩；脂肪酸アルカノールアミドエーテルカルボン酸塩；アシル乳酸塩；ポリオキシエチレン脂肪アミン硫酸塩；脂肪酸アルカノールアミド硫酸塩；硬化ヤシ油脂肪酸グリセリン硫酸ナトリウム等の脂肪酸グリセリド硫酸塩；アルキルベンゼンポリオキシエチレン硫酸塩；α−オレフィンスルホン酸ナトリウム等のオレフィンスルホン酸塩；アルキルスルホコハク酸塩；アルキルエーテルスルホコハク酸塩；アルキルベンゼンスルホン酸塩；アルキルナフタレンスルホン酸塩；アルカンスルホン酸塩；α−スルホ脂肪酸メチルエステル塩；アシルイセチオン酸塩；アルキルグリシジルエーテルスルホン酸塩；アルキルエーテルリン酸エステル塩；アルキルリン酸エステル塩；カゼインナトリウム；アルキルアリールエーテルリン酸塩；脂肪酸アミドエーテルリン酸塩；リン脂質類；シリコーン系アニオン性界面活性剤など
が挙げられる。
これらのアニオン系界面活性剤のうち、ラウレス硫酸ナトリウム、ラウレス硫酸トリエタノールアミンなどのポリオキシエチレンアルキル硫酸塩を選択することが好ましい。
【００５２】
この発明の褪色防止性組成物には、さらに、この発明の目的および効果を阻害しない範囲で、防腐剤を配合することができる。
前記褪色防止性組成物が防腐剤を含む場合には、長期安定性が向上する。
【００５３】
この発明の褪色防止性組成物には、必要に応じて、さらに、この発明の目的および効果を阻害しない範囲で、各種添加剤を任意に添加することができる。
例えば、増粘剤、消臭剤、油剤、ゲル化剤、ｐＨ調整剤、酸化防止剤、色素などを適宜添加することができる。
【００５４】
なお、前記褪色防止性組成物は、カチオン性ポリマーなどのカチオン性の成分を含まないことが好ましい。
前記褪色防止性組成物がカチオン性の成分を含む場合、良好な分散安定性が得られず、前記褪色防止性組成物に含まれる紫外線吸収剤の沈殿が生じて、外観不良の要因となる傾向にある。
【００５５】
この発明の褪色防止性組成物の調製方法については、特に限定されず、種々の方法で調製可能である。
また、前記エマルジョンと各種成分の混合順序についても、特に限定されない。
好ましくは、溶媒に紫外線吸収剤を分散させた後、得られた分散体に対して公知の方法による均質化を施すことによって乳化を行い、エマルジョンを形成せしめた後、得られたエマルジョンに、予め界面活性剤に香料、必要に応じて各種添加剤を添加・混合したものを添加・混合して、この発明の褪色防止性組成物を調製することができる。このような調製方法によれば、前記褪色防止性組成物を、分散安定性に極めて優れたものとして得ることができる。
【００５６】
さらに、かかる褪色防止性組成物は、液状であるが、必要に応じて配合される各種添加剤に応じて、任意の形態で使用することができ、その使用形態は特に限定されない。
例えば、液状の他、ゲル状、ジェル状、ミスト状、エアゾール状、エマルジョン状、サスペンション状の形態で使用することができる。
【００５７】
前記褪色防止性組成物については、糸、織編物、織布、不織布、紙などの有機または無機繊維や、樹脂、衣料素材または衣類などの各種基材（対象）に適用することができるが、各種繊維および各種繊維製品に適用することが好ましい。
すなわち、前記褪色防止性組成物は、繊維もしくは繊維製品用の褪色防止剤として使用可能なものである。
【００５８】
かかる繊維製品としては、特に限定はされないが、例えば、
スポーツウエア、Ｔシャツ、ポロシャツ、ブラウス、チノパン、スーツ、スラックス、スカート、肌着等の衣類や、タオルなど
を挙げることができる。
【００５９】
さらに、繊維（前記繊維製品の素材）についても、特に限定はされないが、例えば、
綿、ウール、麻などの天然繊維、ポリエステル、ナイロン、アクリルなどの合成繊維、アセテートなどの半合成繊維、レーヨン、テンセル、ポリノジックなどの再生繊維およびこれら各種繊維の混紡品、混織品、混編品など
を挙げることができる。
【００６０】
前記各種基材に、前記褪色防止性組成物を、噴霧、塗布、吸着、混合、分散、乳化、混練、担持、浸透あるいは含浸等によって、対象となる基材の表面上に前記褪色防止性組成物の皮膜を形成させることで、褪色防止性を付与し、その結果、この基材における紫外線による褪色を防止または効果的に抑制することができる。
【００６１】
なお、前記褪色防止性組成物を適用する方法としては、塗布や噴霧、含浸が好ましいが、噴霧がより好ましく、各種トリガースプレイヤー等の空気圧を利用した噴霧方法が考えられる。
すなわち、噴霧手段を備えた容器（スプレー容器）に充填してなるスプレー式の褪色防止剤として使用することが好適である。
【実施例】
【００６２】
以下に、実施例を挙げて、この発明を詳細に説明するが、この発明は、これらの実施例により制限されることはない。
【００６３】
［実施例１〜３および比較例１〜６］
下記表１および２に示した組成に従い、下記製造方法により各種褪色防止性組成物を製造した。
なお、得られたエマルジョンの外観を、目視により評価した。
その結果を表３に示す。
【００６４】
＜製造方法＞
（Ａ）成分を（Ｂ）成分に分散させたものを、ビーカーに仕込み、ホモミキサーで均一に乳化し、均一なエマルジョンを得た。
得られたエマルジョンと（Ｃ）成分と（Ｄ）成分を混合し、撹拌して、褪色防止性組成物を得た。
【００６５】
【表１】
2019131907.tif 000002
【００６６】
【表２】
2019131907.tif 000003
【００６７】
【表３】
2019131907.tif 000004
【００６８】
［試験例１］保存安定性の測定
上記実施例１〜３および比較例１〜６において得られた褪色防止性組成物について、下記評価方法に基づき、その液相の状態（外観）を目視により観察することによって、保存安定性の評価を行った。
その結果を表４に示す。
【００６９】
＜評価方法＞
褪色防止性組成物を、２５℃で１週間静置・保管した後、目視にて、この褪色防止性組成物中に沈殿や浮遊物などが発生しているかどうかを観察し、下記の評価基準に従って、外観の評価を行った。
【００７０】
＜評価基準＞
○：沈殿や浮遊物などの発生が認められず、安定な分散状態を維持していたもの
×：沈殿や浮遊物などの発生が認められたもの
【００７１】
【表４】
2019131907.tif 000005
【００７２】
＜結  果＞
実施例１〜３において得られた褪色防止性組成物では、沈殿や浮遊物などの発生が認められず、その外観は良好であった。
以上のことから、この発明の褪色防止性組成物は、優れた分散性と保存安定性を有することは明らかであり、香料を使用しているにもかかわらず、優れた分散性と保存安定性が得られるのは、この発明の褪色防止性組成物が、ノニオン系界面活性剤やアニオン系界面活性剤を含有するためであることも、明らかである。
【００７３】
［実施例４］
上記実施例１において得られた褪色防止性組成物をスプレー容器に充填して、スプレー式の褪色防止剤を得た。
【００７４】
［実施例５〜６および比較例７〜１２］
実施例１において得られた褪色防止性組成物に代えて、実施例２〜３または比較例１〜６において得られた褪色防止性組成物を用いること以外は、実施例４と同様の方法により、スプレー式の褪色防止剤を製造した。
【００７５】
［試験例２］臭気の評価
上記実施例４〜６および比較例７〜１２において得られたスプレー式の褪色防止剤について、下記評価方法に基づき、褪色防止性組成物の臭気の有無の評価を行った。
その結果を表５に示す。
【００７６】
＜評価方法＞
スプレー式の褪色防止剤から褪色防止性組成物２００μＬ／１００ｃｍ２を、ポリエステル生地に噴霧・乾燥し、試験片を作製した。
得られた試験片について、官能評価パネル５名に、その臭気の判定をしてもらい、下記の評価基準に従って官能評価を行った。
【００７７】
＜評価基準＞
〇：臭気を全く感じない
△：１〜２名のパネルが臭気を感じた
×：３名以上のパネルが臭気を感じた
【００７８】
【表５】
2019131907.tif 000006
【００７９】
＜結  果＞
実施例４〜６において得られたスプレー式の褪色防止剤に充填されていた褪色防止性組成物、すなわち実施例１〜３において得られた褪色防止性組成物には、いずれも臭気が感じられなかった。
これに対して、比較例７〜１２において得られたスプレー式の褪色防止剤に充填されていた褪色防止性組成物、すなわち比較例１〜６において得られた組成物では、これに含まれるエタノールの臭気が比較的強いため、組成物に臭気が感じられた。
以上のことから、この発明の褪色防止性組成物は、適用される繊維製品の使用感に影響を及ぼさないものであることは、明らかである。
【００８０】
［試験例３］褪色防止性の評価
上記実施例４〜６および比較例７〜１２において得られたスプレー式の褪色防止剤について、下記測定方法に基づき、褪色防止剤の色差を測定することにより、褪色防止性の評価を行った。
なお、褪色防止剤を適用しないものを、対照例とした。
その結果を表６に示す。
【００８１】
＜測定方法＞
変褪色確認用ブルースケール３級生地に対して、スプレー式の褪色防止剤から褪色防止性組成物１ｍＬ／１００ｃｍ２を、噴霧し、自然乾燥させた。
得られた生地について、超促進耐候性試験機にて４０ｍＷの光（紫外線）照射を２時間行い、照射前後の生地色変化について、色差（ΔＥ＊ａｂ）を測定した。
【００８２】
【表６】
2019131907.tif 000007
【００８３】
＜結  果＞
実施例４〜６において得られたスプレー式の褪色防止剤から褪色防止性組成物を噴霧した生地では、いずれも色差の値が小さく、光照射による色の変化（褪色）の度合いが小さかった。
以上のことから、この発明の褪色防止性組成物は、有効成分である紫外線吸収剤をエマルジョンの形態で含有しているため、優れた褪色防止効果を有することは、明らかである。
【産業上の利用可能性】
【００８４】
この発明にかかる褪色防止性組成物は、分散性および保存安定性に優れ、処理対象としての繊維製品に対して適用されると、極めて優れた褪色防止性を付与し、このような処理対象に適用する場合であっても、処理後において、処理対象の使用感が損なわれることがないものである。
したがって、繊維業界において幅広く利用されるものである。